(57)【特許請求の範囲】
【請求項１】
単位時間当たりの商品販売数を記憶する手段と、単位時間当たりの在庫数を記憶する手段と、単位時間当たりの商品待ち数を記憶する手段と、一定期間の販売個数を記憶する手段と、前記各記憶した数値を基に単位時間後の必要数量を予測して表示器に表示させる予測手段と、電子式キャッシュレジスタから送信されてきた商品の内訳を受信する手段とを備えた表示コントローラと、
注文を受けた商品を登録する前記電子式キャッシュレジスタと、
前記表示コントローラにより前記予測手段が予測した必要数量、前記商品の内訳を表示する前記表示器とを備え、
前記表示コントローラが、一定期間のデータが収集できるまでの各商品について販売見込み数を設定する手段を備え、前記予測手段が、前記設定された販売見込み数を用いて予測することを持徴とする電子式キャッシュレジスタシステム。
【請求項２】
前記表示コントローラが、前記注文を受けた各商品について予測対象に含めるか否かを指定する手段を備えたことを特徴とする請求項１に記載の電子式キャッシュレジスタシステム。
【請求項３】
前記表示コントローラが、一定期間のデータが収集できるまでの各商品について販売見込み数を複数設定する手段を備え、前記予測手段が、前記設定された複数の販売見込み数を条件毎に用いて予測することを持徴とする請求項１または２記載の電子式キャッシュレジスタシステム。
【請求項４】
前記表示コントローラが、各商品についての単位時間当たりの最大製造可能個数を設定する手段を備え、前記予測手段が、予測した値が前記設定された最大製造可能個数よりも大きい場合には、前記設定された最大製造可能個数を予測値として用いることを持徴とする請求項１から３のいずれかに記載の電子式キャッシュレジスタシステム。
【請求項５】
前記表示コントローラが、前記予測に関するデータを記憶する履歴記憶手段と、前記履歴記憶手段に記憶されたデータを前記表示器に表示させるキースイッチとを備えたことを特徴とする請求項１から４のいずれかに記載の電子式キャッシュレジスタシステム。
【発明の詳細な説明】
【０００１】
【発明の属する技術分野】
本発明は、ファーストフード・レストラン等に設置されて、一定時間後の販売見込み数を予測するようにした電子式キャッシュレジスタシステムに関する。
【０００２】
【従来の技術】
従来のレストラン等における電子式キャッシュレジスタシステムは、図４１に示すように、注文を受けた商品を登録する電子式キャッシュレジスタ４１１と、登録された商品の表示制御を行うキッチンビデオコントローラ４１３と、キッチンビデオコントローラ４１３に接続されて商品の内訳を表示する表示器４１４と、表示画面を制御するモニタスイツチ４１５と、電子式キャッシュレジスタ４１１とキッチンビデオコントローラ４１３とを接続する通信ケーブル４１２とで構成されている。モニタスイッチ４１５は、図４２に示すように、注文を消去するサーブキー４２３と、注文の処理を一次保留するホールドキー４２１と、保留された注文の順番を入れ替えるローテートキー４２２とを備えている。
【０００３】
電子式キャッシュレジスタ４１１に登録された商品は、通信ケーブル４１２を経由してキッチンビデオコントローラ４１３に送られ、図４３に示すように、表示器４１４に注文商品の内訳が、注文番号＃毎にその個数と商品名とが表示され、厨房では表示器４１４を見ながら商品を調理し、調理が終了すると顧客に商品を提供する。そして、モニタスイツチ４１５のサーブキー４２３を押して提供した商品を消去すると、表示器４１４には、図４４に示すように、調理を終了した＃１０３の注文が消去された表示になる。
【０００４】
【発明が解決しようとする課題】
しかしながら、上記従来の電予式キャッシュレジスタシステムでは、店舗が混雑してくると、表示画面を見なから注文商品の準備をしていては注文に迫いつかなくなるので、注文状況を判断しなから一定の個数を事前に作り置きしていたが、このように事前に作り置く個数を判断するには、長年の経験か必要なため、持定の店員しかできない問題かあった。また、感にたよって作り置く個数を指示するので、予測が狂って品不足が発生し、顧客の待ち時間が長くなり、販売が低下したり、逆に作り過ぎて廃棄処分が多くなって、利益を損なう問題もあった。
【０００５】
本発明は、こうした従来の問題を解決するものであり、過去の販売実績から一定時間経過後の販売数を予測することのできる電子式キャツシュレジスタシステムを提供することを目的としている。
【０００６】
【課題を解決するための手段】
本発明の電子式キャッシュレジスタシステムは、単位時間当たりの商品販売数を記憶する手段と、単位時間当たりの在庫数を記憶する手段と、単位時間当たりの商品待ち数を記憶する手段と、一定期間の販売個数を記憶する手段と、前記各記憶した数値を基に単位時間後の必要数量を予測して表示器に表示させる予測手段と、電子式キャッシュレジスタから送信されてきた商品の内訳を受信する手段とを備えた表示コントローラと、注文を受けた商品を登録する前記電子式キャッシュレジスタと、前記表示コントローラにより前記予測手段が予測した必要数量、前記商品の内訳を表示する前記表示器とを備え、前記表示コントローラが、一定期間のデータが収集できるまでの各商品について販売見込み数を設定する手段を備え、前記予測手段が、前記設定された販売見込み数を用いて予測する構成を有する。この構成により、従来では長年の経験を有する店員が行っていた予測製造指示を機械的に行うことができ、経験の少ない店員でも製造ロスの少ない予測製造指示を行うことができ、一定時間後の製造個数を厨房内の表示器で確認しながら製造することにより、商品を製造を無駄なく効率的に行うことができ、また、曜日により平均販売数が変動する商品や、季節により製造しない商品の予測精度を向上させることができることとなる。
【０００７】
また、本発明の電子式キャッシュレジスタシステムは、前記表示コントローラが、前記注文を受けた各商品について予測対象に含めるか否かを指定する手段を備えたことを特徴とするものである。この構成により、製造に時間のかからない商品や、予め製造できている商品を予測から外すことができ、予測製造数表示処理を簡素化することができることとなる。
【０００９】
また、本発明の電子式キャッシュレジスタシステムは、前記表示コントローラが、一定期間のデータが収集できるまでの各商品について販売見込み数を複数設定する手段を備え、前記予測手段が、前記設定された複数の販売見込み数を条件毎に用いて予測することを持徴とするものである。この構成により、曜日により平均販売数が変動する商品や、季節により製造しない商品を予測から外すことができ、また、周期毎に設定する作業を滅らすことがきることとなる。
【００１０】
また、本発明の電子式キャッシュレジスタシステムは、前記表示コントローラが、各商品についての単位時間当たりの最大製造可能個数を設定する手段を備え、前記予測手段が、予測した値が前記設定された最大製造可能個数よりも大きい場合には、前記設定された最大製造可能個数を予測値として用いることを持徴とするものである。この構成により、予測製造指示数が最大製造個数を超えた時でも、製造能力以内の予測数を表示することにより、厨房での混乱を防止することができることとなる。
【００１６】
また、本発明の電子式キャッシュレジスタシステムは、前記表示コントローラが、前記予測に関するデータを記憶する履歴記憶手段と、前記履歴記憶手段に記憶されたデータを前記表示器に表示させるキースイッチとを備えたことを特徴とするものである。この構成により、記録媒体に記録したデータを利用することにより、他の機器によるデータ処理が可能になり、予測値と実販売個数の誤差等の分析ができ、予測精度を向上させることができる。また、キースイッチにより表示させることにより、キッチンビデオコントローラに機器を付加することなく、予測製造指示数と実販売個数等の確認を容易に行うことができ、予測精度を向上させることができることとなる。
【００２１】
【発明の実施の形態】
以下、本発明の実施の形態を図面を用いて説明する。
（実施の形態１）
図１は本発明の実施の形態１におけるキッチンビデオコントローラ（表示コントローラ）２０の構成を示している。図１において、キッチンビデオコントローラ２０は、ブログラムに従つて計算や入出力の制御を行うとともに、各メモリに記憶された各数値を基に単位時間後の必要数量を予測するＣＰＵ１と、この装置の動作を規定するプログラムを格納したプログラムメモリ２と、製造数を予測するための平均販売個数を記憶しておく定数メモリ３と、単位時間内に販売された商品と販売個数を記憶しておく単位販売メモリ４と、商品の在庫を記憶しておくストックメモリ５と、注文を受けたがまだ製造されていない個数を記憶しておくウェイトメモリ６と、一定期間内の単位販売メモリデータを複数記憶しておく期間メモリ７と、このキッチンビデオコントローラ２０に接続された表示器２１に表示する内容を蓄積しておく表示メモリ８と、表示器２１に表示内容を出力する表示制御回路９と、モニタスイツチ２２とのインタフェース回路１０と、複数の電子式キャッシュレジスタ２３との間で通信を行うための通信回路１１と、年月日や曜日や時間を計測するための時計回路１２とを備えている。
【００２２】
次に、本実施の形態１の動作について説明する。例えば、１商品を製造するのに５分間かかるとして、１５分間の販売実績個数を集計し、直前１５分間の平均販売個数から、５分後の販売個数を予測するものとする。
【００２３】
図２は期間メモリ７のデータ構成例を示しており、直前５分前の単位販売データの合計と、１０分前の単位販売データの合計と、１５分前の単位販売データの合計とにより構成されている。
【００２４】
また、図３はモニタスイッチ２２の構成例を示しており、表示画面上のカーソルの位置を１オーダまたは１スロット右に移行する右スクロールキー３１と、カーソルを１オーダまたは１スロット左に移行する左スクロールキー３２と、カーソルで指定された商品を画面から消去するためのクリアキー３３とを備えている。
【００２５】
図４はキッチンビデオコントローラ２０の予測製造指示数表示処理の概略ルーチンを示している。まず、ステップ４１では、商品が販売されたかどうかを判定し、販売後であればステップ４２に、それ以外の時はステップ４６に進む。ステップ４２では、販売個数を単位販売メモリ４に加算し、ステップ４３に進む。ステップ４３では、ストックメモリ５から販売個数を引き、ステップ４４に進む。ステップ４４では、ストックメモリ５の数がゼロより少ないかを判定し、ゼロ以上の時はステップ４６へ、それ以外の時はステップ４５へ進む。ステップ４５では、販売数よりも在庫が少ないので、販売個数をウェイトメモり６に加算し、ステップ４６へ進む。ステップ４６では、販売個数集計時間が５分間経過したかを判定し、５分間経過していたら、ステップ４７に、それ以外の時はステップ４１に戻る。ステップ４７では、図２に示すように、期間メモリ７内の各単位販売データを各々右シフトし、一番古い右側の１５分前単位販売データを消去し、空いた左の空間に直近５分前の単位販売データを記憶し、ステップ４８に進む。ステップ４８では、単位販売メモリ４のデータを消去し、ステップ４９に進む。ステップ４９では、販売個数の集計を開始してから１５分経過したかを判定し、１５分以上経過していたらステップ５０に、それ以外の時はステップ５１に進む。ステップ５０では、期間メモリ７の合計から直前１５分前の平均販売個数を計算し、ステップ５２へ進む。ステップ５１では、期間メモリ７に１５分間のデータが蓄積されていないので、定数メモリ３に記憶されている平均販売個数を読み出し、ステップ５２へ進む。ステップ５２は、ＣＰＵ１がプログラムに従って動作する予測エンジンであり、単位販売メモリ４からの販売個数と、ストックメモリ５からのストック数と、ウェイトメモリ６からのウェイト数と、期間メモリ７からの平均販売個数と、一定の余裕度とから予測製造指示数を求め、ステップ５３へ進む。ステップ５３では、予測製造指示数かゼロより大きいかを判定し、ゼロ以上の時はステップ５４へ、それ以外の時はスタートに戻る。ステップ５４では、求められた予測製造指示数を表示器２１に表示し、ステップ５５へ進む。ステップ５５では、ストックメモリ５に予測製造指示数を加算し、スタートに戻る。
【００２６】
図４の処理の結果求められた予測製造指示数は、図５に示すように、表示器２１の画面に表示され、厨房の店員は表示器２１の画面を見なから商品を製造し、商品の製造が終わると、モニタスイッチ２２の右スクロールキー３１と左スクロールキー３２により該当商品を選択し、クリアキー３３で商品を消去する。
【００２７】
このように、本実施の形態１によれば、キッチンビデオコントローラ２０が、単位時間当たりの商品販売数を記憶する単位販売メモリ４と、単位時間当たりの在庫数を記憶するストックメモリ５と、単位時間当たりの商品待ち数を記憶するウェイトメモリ６と、一定期間の販売個数を記憶する期間メモリ７と、これらメモリに記憶された各数値を基に単位時間後の必要数量を予測して表示器２１に表示させるＣＰＵ１とを備えているので、論理的に計算された一定時間後の製造個数を厨房内の表示器２１で確認することができ、従来では長年の経験を有する店員が行っていた予測製造指示を機械的に行うことができ、経験の少ない店員でも製造ロスの少ない予測製造指示を行うことができ、厨房作業が軽減される。
【００２８】
（実施の形態２）
図６は本発明の実施の形態２におけるキッチンビデオコントローラ２０Ａの構成を示している。本実施の形態２が図１に示した実施の形態１と異なるのは、商品設定メモリ１３が追加されたことだけであり、他の構成には変更がないので、以下にはこの商品設定メモリ１３の動作についてのみ説明する。
【００２９】
図７は商品設定メモリ１３のデータ構成例を示しており、画面に表示する商品名称７１と、製造予測を行うか否かを制御するフラグ７２が設定されている。予測制御フラグ７２の設定は、予測を行う商品には“１”、予測を行わない商品には“０”を設定する。上記した実施の形態１では、バーガー類もポテト類飲料も全て予測を行っているが、本実施の形態２では、予測を行うか否かのフラグを設けることにより、コーラのように注文によりカップに注ぐだけで良い商品や、玩具のように製造済みの商品を予測から外すことができる。
【００３０】
図８は本実施の形態２におけるキッチンビデオコントローラ２０Ａの予測製造数表示処理の概略ルーチンを示しており、基本的には図４に示した処理と同じなので、同様な処理には同じ符号を用いて説明する。まず、ステップ４１で商品が販売されたかどうかを判定し、続いてステップ８１で予測する商品かどうかを判定し、予測商品であればステップ４２に、それ以外の時はステップ４６へ進む。ステップ４２では販売個数を単位販売メモリ４に加算し、以降は実施の形態１と同様な処理を行う。
【００３１】
このように、本実施の形態２によれば、キッチンビデオコントローラ２０Ａが、予測を行うべき商品か否かを識別する商品設定メモリ１３を備えているので、実施の形態１の効果に加え、製造に時間のかからない商品や、予め製造できている商品を予測から外すことができ、予測製造数表示処理を簡素化することができる。
【００３２】
（実施の形態３）
本発明の実施の形態３におけるキッチンビデオコントローラは、図６に示した実施の形態２のキッチンビデオコントローラ２０Ａと同じ構成を有し、実施の形態２と異なるのは、商品設定メモリ１３には平均販売個数が設定されていることである。
【００３３】
図９は本実施の形態２における商品設定メモリ１３のデータ構成例を示しており、画面に表示する商品名称９１と、商品毎に予測初期の単位時間当たりの平均販売個数９２が設定される。平均販売個数９２の設定は、過去の予測開始から１５分より少ない時間帯の実績平均販売個数から推測される値を設定する。
【００３４】
上記した実施の形態１では、平日でも休日でも予測開始から１５分より少ない時間帯は、定数メモリ３に設定されているデフォルト値を読み出して予測を行っているが、本実施の形態３では、図４のステップ５１で行っている定数メモリ３から読み出しているデフォルト値の代わりに、図９に設定されている平均販売個数９２を読み出して予測製造指示数を計算することにより、平日と休日で平均販売個数が異なる商品を販売曜日により変更することができ、また、季節により販売の無い商品を予測から外すこともできる。
【００３５】
このように、本実施の形態３のキッチンビデオコントローラ２０Ａでは、予測初期の平均販売個数を設定できる機能を備えることにより、曜日により平均販売数が変動する商品や、季節により製造しない商品の予測精度を向上させることができる。
【００３６】
（実施の形態４）
本発明の実施の形態４におけるキッチンビデオコントローラは、図６に示した実施の形態２のキッチンビデオコントローラ２０Ａと同じ構成を有し、実施の形態２と異なるのは、商品設定メモリ１３には複数の平均販売個数が設定されていることである。
【００３７】
図１０は本実施の形態４における商品設定メモリ１３のデータ構成例を示しており、画面に表示する名称１０１と商品毎の単位時間当たりの平日における平均販売個数１０２と、休日における平均販売個数１０３が設定されている。平均販売個数１０２と１０３の設定は、過去の予測開始から１５分より少ない時間帯ので平日および休日の実績平均販売個数から推定される値を設定する。
【００３８】
上記した実施の形態３では、予測開始から１５分より少ない時間帯の設定を平日と休日とで設定を変更する必要があるが、本実施の形態４のように、予め平日と休日の平均販売個数を設定できる機能を設けることにより、毎週同じ設定を繰り返すことなく、曜日毎に変動する商品の予測を行うことができる。
【００３９】
図１１は本実施の形態４におけるキッチンビデオコントローラ２０Ａの予測製造指示数表示処理の概略ルーチンを示している。ステップ４９までは、図４の実施の形態１と同様の処理を行い、ステップ４９では、販売個数の集計を開始してから１５分経過したかを判定し、１５分以上経過していたらステップ５０に、それ以外の時はステップ１１１に進む。ステップ５０では、期間メモリ７の合計から直前１５分前の平均販売個数を計算し、ステップ５２ヘ進む。ステップ１１１では、期間メモリ７に１５分間のデータが蓄積されていないので、商品設定メモリ１３のどのテーブルを使用するか判断するため、時計回路１２から曜日を読み出し、平日の時はステップ１１２へ進み、それ以外の時はステップ１１３へ進む。ステップ１１２では、商品設定メモリ１３の平日テーブル１０２を呼び出し、ステップ５２へ進む。ステップ１１３では、商品設定メモリ１３の休日テーブル１０３を呼び出し、ステップ５２へ進む。ステップ５２は予測エンジンであり、実施の形態１の図４のステップ５２以降と同様な処理を行う。
【００４０】
このように、本実施の形態４のキッチンビデオコントローラ２０Ａでは、複数の平均販売個数テーブルにより、曜日により平均販売数が変動する商品や、季節により製造しない商品を予測から外すことができ、また、周期毎に設定する作業を滅らすこともできる。
【００４１】
なお、本実施の形態４では、平日と休日とで平均販売数の設定を分けているが、同じ平日の中でも特に月曜日とか水曜日とか金曜日に特異な販売傾向を示す場合には、そのような曜日毎に平均販売個数を設定することも可能である。
【００４２】
（実施の形態５）
本発明の実施の形態５におけるキッチンビデオコントローラは、図６に示した実施の形態２のキッチンビデオコントローラ２０Ａと同じ構成を有し、実施の形態２と異なるのは、商品設定メモリ１３には商品の最大製造個数が設定されていることである。
【００４３】
図１２は本実施の形態５における商品設定メモリ１３のデータ構成例を示しており、画面に表示する商品の名称１２１と、最大製造個数１２２が設定されている。最大製造個数１２２には、店舗で単位時間当たりに製造できる最大個数を設定する。
【００４４】
図１３は本実施の形態５におけるキッチンビデオコントローラ２０Ａの予測製造数指示数表示処理の概略ルーチンを示している。ステップ５２までは、図４のステップ５２までと同様な処理を行い、ステップ１３１では、商品設定メモリ１３に設定されている該当商品の最大製造個数テーブル１２２を呼び出し、ステップ１３２へ進む。ステップ１３２では、予測エンジン５２で計算された予測製造指示数が最大製造個数以上かを判定し、最大製造個数以上の時はステップ１３３へ進み、それ以外の時はステップ５３へ進む。ステップ１３３では、最大製造個数を予測エンジンで計算された予測製造指示数と置き換えてステップ５３へ進む。ステップ５３以降は、図４のステップ５３以降と同様な処理を行う。
【００４５】
このように、本実施の形態５におけるキッチンビデオコントローラ２０Ａでは、商品設定メモリ１３に設定された最大製造個数設定テーブルにより、予測エンジンで計算した予測製造指示数が最大製造個数を超えた時でも、製造能力以内の予測数を表示することにより、厨房を混乱させない指示を行うことができる。
【００４６】
（実施の形態６）
図１４は本発明の実施の形態６におけるキッチンビデオコントローラ２０Ｂの構成を示している。本実施の形態６が図６に示した実施の形態２と異なるのは、ＣＰＵ１がモード切替手段１４１を備えていることであり、他の構成には変更がないので、以下にはこのモード切替手段１４１の動作についてのみ説明する。
【００４７】
本実施の形態６におけるモニタスイッチ２２は、図１５に示すように、図３に示した表示画面上のカーソルの位置を１オーダまたは１スロット右に移行する右スクロールキー３１と、カーソルを１オーダまたは１スロット左に移行する左スクロールキー３２と、カーソルで指定された商品を画面から消去するためのクリアキー３３の他に、従来の注文製造モードと予測製造モードとを切り替える動作モード変更キー３４を備えている。
【００４８】
上記した実施の形態１では、販売がピークの時もスローの時も製造数の予測を行っているが、本実施の形態６では、キッチンビデオコントローラの動作モードを切り替える動作モード変更キー３４からの指示により、モード切替手段１４１が、販売がスローの時は注文に応じて製造する従来通りの製造方法を指示することにより、製造ロスを少なくすることができる。
【００４９】
図１６は本実施の形態６におけるキッチンビデオコントローラのモード切替手段１４１による動作モード切替処理の概略ルーチンを示している。販売が開始された時は、ステップ１６１で従来の表示モードを初期設定し、ステップ１６２へ進む。ステップ１６２では、動作モード変更キー３４が押されたかどうかを判定し、キーが押された時はステップ１６３ヘ進み、それ以外の時はステップ１６４へ進む。ステップ１６３では、予測モードに切り替え、ステップ１６４へ進む。ステップ１６４では、表示モードが予測モードかを判定し、予測モードであればステップ１６５へ進み、それ以外の時はステップ１６６へ進む。ステップ１６５では、上記各実施の形態と同様の予測処理ルーチンを行い、単位時間当たりの製造個数を予測し、厨房の表示器２１に予測個数を表示し、ステップ１６２へ戻る。ステップ１６６では、従来と同様の処理を行い、電子式キャッシュレジスタ２３の注文をそのまま厨房の表示器２１に表示し、ステップ１６２へ戻る。
【００５０】
このように、本実施の形態６のキッチンビデオコントローラ２０Ｂでは、モニタスイッチ２の動作モード変更キー３４により、ＣＰＵ１のモード切替手段１４１が、販売がスローの時は注文に応じて製造できるように従来と同様に注文毎に表示器２１に表示を行い、販売がピークの時は予測製造個数を算出してその個数を表示器２１に表示するようにしたので、販売が少ない時はロスを少なくすることができ、販売が多い時は効率よく迅速に商品を製造することができる。
【００５１】
（実施の形態７）
図１７は本発明の実施の形態７におけるキッチンビデオコントローラ２０Ｃの構成を示している。本実施の形態７が図１４に示した実施の形態６と異なるのは、ピーク時間設定メモリ１４を備えていることであり、他の構成には変更がないので、以下にはこのピーク時間設定メモリ１４の動作についてのみ説明する。
【００５２】
図１８は本実施の形態７におけるピーク時間設定メモリ１４のデータ構成例を示しており、ピーク時間が始まるピーク時表示スタート時間１８１と、ピーク時間が終了するピーク時表示エンド時間１８２が設定されている。
【００５３】
上記した実施の形態６では、販売ピークとスロー時の切り替えをモニタスイッチ２２のモード変更キー３４によって行つているが、本実施の形態７では、ピーク時間設定メモリ１４に設定された動作モード切り替え時間に基づいて、モード切替手段１４１が動作モードを切り替えている。
【００５４】
図１９は本実施の形態７におけるキッチンビデオコントローラのモード切替手段１４１によるモード切替処理の概略ルーチンを示している。販売が開始された時は、ステップ１９１で従来の表示モードに初期設定し、ステップ１９２へ進む。ステップ１９２では、ピーク時間設定メモリ１４に設定されたピーク時間設定テーブルの内容を呼び出し、ステップ１９３へ進む。ステップ１９３では、時計回路１２から現在の時間を読み出し、ステップ１９４へ進む。ステップ１９４では、現在の時間が設定されたピーク時間帯かを判定し、ピーク時間帯ならステップ１９５へ進み、それ以外の時はステップ１９６へ進む。ステップ１９５では、上記各実施の形態と同様の予測処理ルーチンを行い、単位時間当りの製造個数を予測し、厨房の表示器２１に予測個数を表示し、ステップ１９２へ戻る。ステップ１９６では、従来と同様の処理を行い、電子式キャッシュレジスタ２３からの注文をそのまま厨房の表示器２１に表示し、ステップ１９２へ戻る。
【００５５】
このように、本実施の形態７のキッチンビデオコントローラ２０Ｃでは、モード切替手段１４１が、動作モードをピーク時間設定メモリ１４に設定した時間帯で切り替えることにより、販売がスローの時は注文に応じて製造できるように従来と同様に注文毎に表示を行い、販売がピークの時は予測製造指示数を算出して表示器２１に表示することにより、販売が少ない時はロスを少なくすることができ、販売が多い時は効率よく迅速に商品を製造することができる。
【００５６】
（実施の形態８）
本発明の実施の形態８におけるキッチンビデオコントローラは、図１４に示した実施の形態６のキッチンビデオコントローラ２０Ｂと同じ構成を有し、実施の形態６と異なるのは、モニタスイッチ２２の代わりにロータリースイッチがモニタスイッチインターフェース回路１０に接続されていることである。
【００５７】
図２０は本実施の形態８におけるロータリースイッチ２００の構成例を示しており、スロー時動作モードを規定するスロー時位置２０１と、ピーク時動作モードを規定するピーク時位置２０２が設定されている。
【００５８】
上記した実施の形態６では、販売ピーク時とスロー時の切り替えをモニタスイッチ２２のモード変更キー３４により行つているが、本実施の形態８のキッチンビデオコントローラでは、動作モード切り替えをロータリースイッチ２００で切替えることができる。
【００５９】
図２１は本実施の形態８におけるキッチンビデオコントローラのモード切替手段１４１によるモード切替処理の概略ルーチンを示している。ステップ２１１では、ロータリースイッチ２００の位置情報を検出し、ステップ２１２へ進む。ステップ２１２では、ロータリースイッチ２００の位置情報から、ピーク時位置が設定されているかを判定し、ピーク位置ならステップ２１３へ進み、それ以外の時はステップ２１４へ進む。ステップ２１３では、実施の形態１と同様の処理を行い、単位時間当たりの製造個数を予測して厨房の表示器２１にその個数を表示し、ステップ２１１へ戻る。ステップ２１４では、従来と同様の処理を行い、電子式キャッシュレジスタ２３からの注文をそのまま厨房の表示器２１に表示し、ステップ２１１へ戻る。
【００６０】
このように、本実施の形態８のキッチンビデオコントローラ２０Ｂでは、モード切替手段１４１が、動作モードをロータリースイッチ２００からの信号を基に切り替えることにより、販売がスローの時は注文に応じて製造できるように従来と同様に注文毎に表示を行い、販売がピークの時は予測製造指示数を算出して表示器２１に表示することにより、販売が少ない時はロスを少なくすることができ、販売が多い時は効率よく迅速に商品を製造することができる。また、ロータリースイッチ２００により動作モードを切り替えるので、ロータリースイッチ２００の位置情報を知っている者にしか操作することができず、セキュリティーを向上させることができる。さらに、ロータリースイッチ２００を鍵で切り替えるようにすれば、セキュリティーを一層向上させることができ、間違ってモードを切り替えられる可能性が少なくなる。
【００６１】
（実施の形態９）
本発明の実施の形態９におけるキッチンビデオコントローラは、図１７に示した実施の形態７のキッチンビデオコントローラ２０Ｃと同じ構成を有し、実施の形態７と異なるのは、ピーク時間設定メモリ１４に複数の時間が設定されていることである。
【００６２】
図２２は本実施の形態９におけるピーク時間設定メモリ１４に設定されたデータ構成例を示しており、平日のピーク時間帯２２１と、休日／土・日曜日のピーク時間帯２２２が設定されている。
【００６３】
上記した実施の形態７では、一つのピーク時間帯の設定機能だけを設けているが、本実施の形態９では、複数のピーク時間帯の設定機能を設けることにより、業務日により変動するピーク時間の変動に対応して、キッチンビデオコントローラの動作モードを切り替えることができる。
【００６４】
図２３は本実施の形態９におけるキッチンビデオコントローラのモード切替手段１４１によるモード切替処理の概略ルーチンを示している。販売が開始された時はステップ２３１で従来の表示モードに初期設定し、ステップ２３２へ進む。ステップ２３２では、時計回路１２から現在の曜日を読み出してステップ２３３へ進む。ステップ２３３では、平日かどうかを判定し、平日であればステップ２３４へ進み、それ以外であればステップ２３５へ進む。ステップ２３４では、平日のピーク時間帯テーブル２２１を読み出し、ステップ２３６へ進む。ステップ２３５では、休日のピーク時間帯テーブル２２２を読み出し、ステップ２３６へ進む。ステップ２３６以降の処理は、図１９に示した実施の形態７のステップ１９３と同様である。
【００６５】
このように、本実施の形態９のキッチンビデオコントローラ２０Ｃでは、モード切替手段１４１が、動作モードをピーク時間設定メモリ１４に設定した複数の時間帯に応じて切り替えることにより、曜日により変動するピーク時間帯や特売セール等で変動するピーク時間をその時間が来る毎に変更することなく対応でき、また、周期毎に設定する作業を減らすことができる。
【００６６】
（実施の形態１０）
本発明の実施の形態１０におけるキッチンビデオコントローラは、図１７に示した実施の形態７のキッチンビデオコントローラ２０Ｃと同じ構成を有し、実施の形態６と異なるのは、予測製造と従来通りの注文製造のモード切り替えを、電子式キャッシュレジスタ２３からできるようにしたものである。
【００６７】
図２４は本実施の形態１０における電子式キャッシュレジスタ２３のキッチンビデオコントローラ２０Ｂへのコマンド送信ルーチンの概略を示しており、電子式キャッシュレジスタ２３でピーク時間帯を指定し、キッチンビデオコントローラ２０Ｂに対し動作モードを変更することができる。ステップ２４１で、実施の形態７と同様のピーク時間設定テーブルを読み込み、ステップ２４２へ進む。ステップ２４２では、電子式キャッシュレジスタ２３に内蔵されている時計回路から現在時間を読み込み、ステップ２４３へ進む。ステップ２４３では、設定テーブルの値と現在時刻とを比較し、ピーク時間帯であればステップ２４７へ進み、それ以外の時はステップ２４４へ進む。ステツブ２４４では、ピーク時間が経過したかどうかを判定し、経過していればステップ２４５へ進み、それ以外の時は処理を終了する。ステップ２４５では、スローコマンドすなわち従来通りの注文製造を指示するための命令を送信済みか判定し、送信済みであれば処理を終了し、それ以外の時はステップ２４６へ進む。ステップ２４６では、キッチンビデオコントローラ２０Ｃに対してスローコマンドを送信し、処理を終了する。一方、ステツブ２４４でピーク時間が経過していないと判定された場合は、ステップ２４７でピークコマンドすなわち予測製造を支持するための命令を送信したかを判定し、送信済みであれは処理を終了し、それ以外の時はステップ２４８へ進む。ステップ２４８では、キッチンビデオコントローラ２０Ｃに対してピークコマンドを送信し、処理を終了する。処理を終了した場合は、電子式キャッシュレジスタ２３の他の処理ルーチンに戻る。
【００６８】
図２５はキッチンビデオコントローラ２０Ｃの電子式キャッシュレジスタ２３からのコマンド受信概略ルーチンを示している。ステップ２５１では、電子式キャッシュレジスタ２３から受信したデータが商品データかを判定し、商品データの時はステップ２５５へ進み、それ以外の時はステップ２５２へ進む。ステップ２５２では、ピークコマンドを受信したかを判定し、ピークコマンドを受信した時はステップ２５６へ進み、それ以外の時はステップ２５３へ進む。ステップ２５３では、スローコマンドを受信したかを判定し、スローコマンドを受信したときは、ステップ２５４へ進み、それ以外であれば処理を終了する。ステップ２５４では、モード切替手段１４１が、ピークモードを判定するフラグをオフして、従来の注文モードで動作するようにし、処理を終了する。ステッブ２５５では、受信メモリに受信した商品データを記憶し、処理を終了する。ステップ２５６では、ピークモードを判定するフラグをオンして、予測製造モードで動作するようにし、処理を終了する。処理を終了した場合は、キッチンビデオコントローラ２０Ｃの他の処理ルーチンに戻る。
【００６９】
このように、本実施の形態１０のキッチンビデオコントローラ２０Ｃでは、電子式キャッシュレジスタ２３からキッチンビデオコントローラ２０Ｃに対してモードの変更を指示する機能に備えることにより、キッチンビデオコントローラ２０Ｃのモード切替手段１４１が、動作モードを自動的に切り替えるので、厨房での操作を軽減することができる。また、複数のキッチンビデオコントローラが店舗システムに接続されている場合に、複数のキッチンビデオコントローラの動作モードを同時に設定することができ、容易に同期を取ることができる。
【００７０】
（実施の形態１１）
図２６は本発明の実施の形態１１におけるキッチンビデオコントローラ２０Ｄの構成を示している。本実施の形態１１が図１７に示した実施の形態７と異なるのは、履歴メモリ１５と記録装置１６を備えていることであり、他の構成には変更がないので、以下には履歴メモリ１５と記録装置１６の動作についてのみ説明する。
【００７１】
図２７に示すように、履歴メモリ１５には、店舗の開店時間８：０１から閉店時開２１：３０までの単位時問当たりのストック数、ウェイト数、実販売数、予測製造指示数が記憶され、記憶されたデータは、記録装置１６によりフロッピーディスク、ＩＣカードメモリ等の記憶媒体２４に記録され、この記録媒体２４を通じて他の機器でのデータ処理が可能になる。
【００７２】
図２８は本実施の形態１１におけるキッチンビデオコントローラ２０Ｄの予測製造指示数表示処理の概略ルーチンを示している。ステップ５２までは、図４に示した実施の形態１のステップ５２までと同様の処理を行う。ステップ２８１では、販売時間帯・ストック数・ウェイト数・実販売数・予測製造指示数を履歴メモリ１５に記憶し、ステップ５３へ進む。ステップ５３以降は図４のステップ５３以降と同様な処理を行う。
【００７３】
このように、本実施の形態１１におけるキッチンビデオコントローラでは、予測製造に関するデータを、履歴メモリ１５に記憶するとともに、記録装置１６により記録媒体２４に記録することにより、他の機器によるデータ処理が可能になり、予測値と実販売個数の誤差等の分析ができ、予測エンジンの精度を向上させることができる。
【００７４】
（実施の形態１２）
本発明の実施の形態１２におけるキッチンビデオコントローラは、図２６に示した実施の形態１１のキッチンビデオコントローラ２０Ｄと同じ構成を有し、実施の形態１１と異なるのは、履歴メモリ１５に記憶したストック数・ウェイト数、予測製造指示数等の予測に関するデータを電子式キャッシュレジスタ２３に送信する機能を備えていることである。
【００７５】
上記した実施の形態１１では、履歴メモリ１５に記憶したデータを記録装置１６を通じて外部の記憶媒体２４に出力しているが、本実施の形態１２では、キッチンビデオコントローラ２０Ｄに接続されている電子式キャッシュレジスタ２３に通信回路１１を通じてデータを送信し、データを受信した電子式キャッシュレジスタ２３では、その内蔵した履歴メモリに、図２９に示すような店舗全体の履歴データ２９１と各キッチンビデオコントローラ毎の履歴データ２９２を記憶することにより、店舗全体の集計が指定電子式キャッシュレジスタで行うことができ、また、印字手段を用いてレポートとして出力することができる。図３０は出力されたレポート印字例であり、＃１のキッチンビデオコントローラにおける履歴データと予測値と実販売データの差が印字されている。
【００７６】
図３１は本実施の形態１２におけるキッチンビデオコントローラ２０Ｄの予測製造指示数表示処理の概略ルーチンを示している。ステップ５２までは、図４に示した実施の形態１のステップ５２までと同様の動作を行い、ステップ３０１では、販売時間帯・ストック数・ウェイト数・実販売数・予測製造指示数を複数の電子式キャッシュレジスタの中の指定電子式キャッシュレジスタに送信し、ステップ５３へ進む。ステップ５３以降は図４のステップ５３以降と同様な処理を行う。
【００７７】
図３２は本実施の形態１２における指定電子式キャッシュレジスタの電文受信処理の概略ルーチンを示している。ステップ３２１では、キッチンビデオコントローラからの履歴データを受信したかを判定し、履歴データを受信した時はステップ３２２ヘ進み、それ以外の時はステップ３２４に進む。ステップ３２２では、受信した履歴データを店舗履歴データ２９１の該当時間に加算し、ステップ３２３へ進む。ステップ３２３では、受信したデータをその送信元のキッチンビデオコントローラに対応した履歴データ２９２に加算し、処理を終了する。ステップ３２４では、通信制御等行うコマンドかを判定し、コマンド受信であればステップ３２５へ進み、それ以外の時は処理を終了する。ステップ３２５では、受信したコマンドに従つて処理を行い、処理を終了する。処理を終了した場合は、電子式キャッシュレジスタの他の処理ルーチンに戻る。
【００７８】
このように、本実施の形態１２におけるキッチンビデオコントローラでは、予測製造に関するデータを、電子式キャッシュレジスタに送信し、電子式キャッシュレジスタでレポートを作成することにより、キッチンビデオコントローラの動作を停止することなく、リアルタイムに、かつ特別な機器を付加することなく予測製造指示数と実販売個数の差等の分析が可能になり、予測エンジンの精度を向上させることができる。また、店舗に複数のキッチンビデオコントローラが設置されている場合には、店舗全体のデータ収集も可能になる。
【００７９】
（実施の形態１３）
本発明の実施の形態１３におけるキッチンビデオコントローラは、図２６に示した実施の形態１１のキッチンビデオコントローラ２０Ｄと同じ構成を有し、実施の形態１１と異なるのは、表示器２１にストック数・ウェイト数・予測製造指示数等の販売予測するためのデータを表示する機能を設けていることである。
【００８０】
上記した実施の形態１１では、履歴メモリ１５に記憶した履歴データを外部記憶媒体に出力しているが、本実施の形態１３では、履歴データをキッチンビデオコントローラに接続されている表示器２１に表示することにより、予測の結果を容易に確認することができる。
【００８１】
本実施の形態１３におけるモニタスイッチ２２は、図３３に示すように、表示画面上のカーソルの位置を１オーダまたは１スロット右に移行する右スクロールキー３１と、カーソルを１オーダまたは１スロット左に移行する左スクロールキー３２と、カーソルで指定された商品を画面から消去するためのクリアキー３３と、従来の動作モードと予測製造モードとを切り替える動作モード変更キー３４の他に、履歴表示モードキー３５を備えている。
【００８２】
図３４は本実施の形態１３における表示器２１に表示された履歴表示画面の例を示しており、履歴メモリ１５に記憶されているデータが表示されている。
【００８３】
このように、本実施の形態１３におけるキッチンビデオコントローラでは、予測製造指示数の履歴データを、キッチンビデオコントローラの表示器２１に表示させるために、モニタスイッチ２２に履歴表示モードキー３５を備えているので、キッチンビデオコントローラに機器を付加することなく予測製造指示数と実販売個数等の確認が可能になり、予測エンジンの精度を向上させることができる。
【００８４】
（実施の形態１４）
本発明の実施の形態１４におけるキッチンビデオコントローラは、図２６に示した実施の形態１１のキッチンビデオコントローラ２０Ｄと同じ構成を有し、実施の形態１１と異なるのは、商品設定メモリ１３には、図３５に示すように、各商品毎にグループ設定テーブルが設けられ、表示制御回路９が表示器２１に表示する形態を図３７のように変更することである。
【００８５】
上記した各実施の形態では、予測された商品は順番に図５のように表示されるが、本実施の形態１４のキッチンビデオコントローラでは、商品にグループコードを設けることにより、図３５に示すように同様の製造方法の商品は同一のグループコード３５１を指定することにより、製造スピードを向上させることができる。
【００８６】
図３６は本実施の形態１４におけるキッチンビデオコントローラの予測製造指示数表示処理の概略ルーチンを示している。ステップ５３までは、図４に示した実施の形態１のステップ５３までと同様であり、ステップ５３では予測製造指示数がゼロより大きいかを判定し、ゼロ以上の時はステップ３６１に、それ以外の時はスタートステップに進む。ステップ３６１では、商品設定メモリ１３から該当商品のグルーブコード３５１を呼び出し、ステップ３６２に進む。ステップ３６２では、該当商品の予測製造指示数を、図３７に示すような同一のグループコード枠に表示し、ステップ３６３に進む。ステップ３６３では、ストックメモリ５に記憶された該当商品に予測製造指示数を加算し、ストックメモリ５に記憶し、ステップ３６４に進む。ステップ３６４では、製造が指示された商品を全て表示したかを判定し、終了していればスタートステップに、それ以外の時はステップ３６１に戻る。
【００８７】
このように、本実施の形態１４におけるキッチンビデオコントローラは、同様な製造方法により製造される商品、例えばミートを使用する商品、ポテトを使用する商品、チキンを使用する商品等を別々の枠に表示することにより、店員は同一カテゴリーの商品を表示器２１の表示画面で探す必要がなくなり、また見落としも少なくなり、効率よく商品を製造することができる。
【００８８】
（実施の形態１５）
本発明の実施の形態１５におけるキッチンビデオコントローラは、図２６に示した実施の形態１１のキッチンビデオコントローラ２０Ｄと同じ構成を有し、実施の形態１１と異なるのは、商品設定メモリ１３には、図３８に示すように、各商品毎に分単位の廃棄時間設定テーブルが設けられ、ストックメモリ５には、図３９に示すように、各商品毎にストック数とともに製造後の経過時間（分単位）が設定されていることである。
【００８９】
上記した各実施の形態では、予測製造指示された個数は商品毎にストックメモリ５に加算し記憶され、販売される毎に販売数分がストックメモリ５から減算され、商品は製造後一定時間経過すると、品質が落ちるので廃棄されるが、予測エンジンでは、ストックメモリ５に記憶された個数を使用して予測するので、図３９に示すように各商品毎の製造後の経過時間を記憶し、廃棄時間を判断し、ストックメモリ５から減算することにより、予測精度を向上させることができる。
【００９０】
図４０は本実施の形態１５におけるキッチンビデオコントローラの商品廃棄処理の概略ルーチンを示している。ステップ４０１でストックメモリ５に商品ストックが在るかを判定し、ストックが在るときはステップ４０２に、ストックがない時はステップ４０８に進む。ステップ４０２では、単位時間（ここでは１分）が経過したかを判定し、経過していればステップ４０３に、経過していなければステップ４０８へ進む。ステップ４０３では、ストックメモリ５から商品と経過時間を呼び出し、ステップ４０４へ進む。ステップ４０４では、経過時間から単位時間を減算して新たな経過時間としてストックメモリ５に記憶し、ステップ４０５へ進む。ステップ４０５では、該当商品の廃棄時間を経過したかを判定し、経過していればステップ４０６へ、それ以外の時はステップ４０７へ進む。ステップ４０６では、該当商品を廃棄するとともに、ストックメモリ５のストック数をクリアし、ステップ４０７へ進む。ステップ４０７では、ストックされている全商品の判定が終了したかを判定し、終了していればステップ４０８へ、それ以外の時はステップ４０３へ戻る。ステップ４０８は、図４に示した実施の形態１のステップ４１と同様であり、これ以降は実施の形態１と同様の処理を行う。
【００９１】
このように、本実施の形態１５におけるキッチンビデオコントローラでは、ストックメモリ５から廃棄した商品の数を減じて予測することにより、より精度の高い予測が可能になる。
【００９２】
【発明の効果】
上記実施の形態から明らかなように、本発明の電子式キャッシュレジスタシステムは、単位時間当たりの商品販売数と、単位時間当たりの在庫数と、単位時間当たりの商品待ち数と、一定期間の販売個数とから、単位時間後の必要数量を予測するとともに、一定期間のデータが収集できるまでの各商品について販売見込み数を設定し、この設定された販売見込み数を用いて予測し、表示器に表示するようにしたので、従来では長年の経験を有する店員が行っていた予測製造指示を機械的に行うことができ、経験の少ない店員でも製造ロスの少ない予測製造指示を行うことができ、一定時間後の製造個数を厨房内の表示器で確認しながら製造することにより、商品の製造を無駄なく効率的に行うことができ、また、曜日により平均販売数が変動する商品や、季節により製造しない商品の予測精度を向上させることができる。
【図面の簡単な説明】
【図１】本発明の実施の形態１におけるキッチンビデオコントローラの構成を示すブロック図
【図２】本発明の実施の形態１における期間メモリのデータ構成例を示す模式図
【図３】本発明の実施の形態１におけるモニタスイッチの構成を示す模式図
【図４】本発明の実施の形態１における予測製造指示数表示処理を示すフロー図
【図５】本発明の実施の形態１における表示器の画面表示例を示す模式図
【図６】本発明の実施の形態２におけるキッチンビデオコントローラの構成を示すブロック図
【図７】本発明の実施の形態２における商品設定メモリのデータ構成例を示す模式図
【図８】本発明の実施の形態２における予測製造指示数表示処理を示す部分フロー図
【図９】本発明の実施の形態３における商品設定メモリのデータ構成例を示す模式図
【図１０】本発明の実施の形態４における商品設定メモリのデータ構成例を示す模式図
【図１１】本発明の実施の形態４における予測製造指示数表示処理の部分フロー図
【図１２】本発明の実施の形態５における商品設定メモリのデータ構成例を示す模式図
【図１３】本発明の実施の形態５における予測製造指示数表示処理の部分フロー図
【図１４】本発明の実施の形態６におけるキッチンビデオコントローラの構成を示すブロック図
【図１５】本発明の実施の形態６におけるモニタスイッチの構成を示す模式図
【図１６】本発明の実施の形態６における動作モード切替処理を示すフロー図
【図１７】本発明の実施の形態７におけるキッチンビデオコントローラの構成を示すブロック図
【図１８】本発明の実施の形態７におけるピーク時間設定テーブル例を示す模式図
【図１９】本発明の実施の形態７における動作モード切替処理を示すフロー図
【図２０】本発明の実施の形態８におけるロータリースイッチの模式図
【図２１】本発明の実施の形態８における動作モード切替処理を示すフロー図
【図２２】本発明の実施の形態９におけるピーク時間設定テーブル例を示す模式図
【図２３】本発明の実施の形態９における動作モード切替処理を示すフロー図
【図２４】本発明の実施の形態１０における電子式キャッシュレジスタコマンド電文送信処理を示すフロー図
【図２５】本発明の実施の形態１０におけるキッチンビデオコントローラ電文受信処理を示すフロー図
【図２６】本発明の実施の形態１１におけるキッチンビデオコントローラの構成を示すブロック図
【図２７】本発明の実施の形態１１における履歴メモリのデータ構成例を示す模式図
【図２８】本発明の実施の形態１１における予測製造指示数表示処理を示す部分フロー図
【図２９】本発明の実施の形態１２における電子式キャッシュレジスタの履歴メモリのデータ構成例を示す模式図
【図３０】本発明の実施の形態１２における電子式キャッシュレジスタのレポート例を示す模式図
【図３１】本発明の実施の形態１２における予測製造指示数表示処理を示す部分フロー図
【図３２】本発明の実施の形態１２における電子式キャッシュレジスタ電文受信処理を示すフロー図
【図３３】本発明の実施の形態１３におけるモニタスイッチの構成を示す模式図
【図３４】本発明の実施の形態１３における表示器の画面表示例を示す模式図
【図３５】本発明の実施の形態１４における商品設定メモリのデータ構成例を示す模式図
【図３６】本発明の実施の形態１４における予測製造指示数表示処理を示す部分フロー図
【図３７】本発明の実施の形態１４における表示器の画面表示例を示す模式図
【図３８】本発明の実施の形態１５における商品設定メモリのデータ構成例を示す模式図
【図３９】本発明の実施の形態１５におけるストックメモリのデータ構成例を示す模式図
【図４０】本発明の実施の形態１５における予測製造指示数表示処理を示す部分フロー図
【図４１】従来例における店舗システムの構成例を示す斜視図
【図４２】従来例におけるモニタスイッチの構成を示す模式図
【図４３】従来例における表示器の表示画面例を示す模式図
【図４４】従来例におけるサーブスイッチ押下後の画面表示例を示す模式図
【符号の説明】
１  ＣＰＵ
２  プログラムメモリ
３  定数メモリ
４  単位販売メモリ
５  ストックメモリ
６  ウェイトメモリ
７  期間メモリ
８  表示メモリ
９  表示制御回路
１０  モニタスイッチＩ／Ｆ回路
１１  通信回路
１２  時計回路
１３  商品設定メモリ
１４  ピーク時間設定メモリ
１５  履歴メモリ
１６  記録装置
２０、２０Ａ、２０Ｂ、２０Ｃ、２０Ｄ  キッチンビデオコントローラ
２１  表示器
２２  モニタスイッチ
２３  電子式キャッシュレジスタ
１４１  モード切替手段
【図１】
0003650006.tif 000002
【図２】
0003650006.tif 000003
【図３】
0003650006.tif 000004
【図４】
0003650006.tif 000005
【図５】
0003650006.tif 000006
【図６】
0003650006.tif 000007
【図７】
0003650006.tif 000008
【図８】
0003650006.tif 000009
【図９】
0003650006.tif 000010
【図１０】
0003650006.tif 000011
【図１１】
0003650006.tif 000012
【図１２】
0003650006.tif 000013
【図１３】
0003650006.tif 000014
【図１４】
0003650006.tif 000015
【図１５】
0003650006.tif 000016
【図１６】
0003650006.tif 000017
【図１７】
0003650006.tif 000018
【図１８】
0003650006.tif 000019
【図１９】
0003650006.tif 000020
【図２０】
0003650006.tif 000021
【図２１】
0003650006.tif 000022
【図２２】
0003650006.tif 000023
【図２３】
0003650006.tif 000024
【図２４】
0003650006.tif 000025
【図２５】
0003650006.tif 000026
【図２６】
0003650006.tif 000027
【図２７】
0003650006.tif 000028
【図２８】
0003650006.tif 000029
【図２９】
0003650006.tif 000030
【図３０】
0003650006.tif 000031
【図３１】
0003650006.tif 000032
【図３２】
0003650006.tif 000033
【図３３】
0003650006.tif 000034
【図３４】
0003650006.tif 000035
【図３５】
0003650006.tif 000036
【図３６】
0003650006.tif 000037
【図３７】
0003650006.tif 000038
【図３８】
0003650006.tif 000039
【図３９】
0003650006.tif 000040
【図４０】
0003650006.tif 000041
【図４１】
0003650006.tif 000042
【図４２】
0003650006.tif 000043
【図４３】
0003650006.tif 000044
【図４４】
0003650006.tif 000045